(57)【特許請求の範囲】
【請求項１】
インク用液体と、このインク用液体に着色するための着色剤とが分離して収納され、
インク用液体が筆記先端へ誘導される途中で、前記着色剤が該インク用液体に添加されるように形成されている筆記具であって、
前記着色剤として染料造塩体を用いることを特徴とする筆記具。
【請求項２】
前記染料造塩体は、酸性染料と塩基性成分との塩であることを特徴とする請求項１記載の筆記具。
【請求項３】
前記染料造塩体は、塩基性染料と酸性成分との塩であることを特徴とする請求項１記載の筆記具。
【請求項４】
前記染料造塩体は、酸性染料と塩基性染料との塩であることを特徴とする請求項１記載の筆記具。
【発明の詳細な説明】
【０００１】
【発明の属する技術分野】
本発明は、インク用液体と、このインク用液体に着色するための着色剤とが分離して収納され、前記インク用液体が筆記先端へ誘導される途中で、前記着色剤が該インク用液体に添加されるように形成されている筆記具に関し、特に、このような筆記具について適切な性質を有する着色剤が収納されている筆記具に関する。
【０００２】
【従来の技術】
本願発明に関連する従来技術としては、以下のものが挙げられる。
特開平２００１−２６０５８６号には、インク用液体と、このインク用液体に着色するための着色剤の主体とが分離して収納され、前記インク用液体が筆記先端へ誘導される途中で、前記着色剤がインク用液体に添加されているように形成されていることを特徴とする筆記具が開示されている。
【０００３】
具体的には、筆記具内の液体収納部に収納されていた、無色又は筆記には適さない程度に着色されたインク用液体が、繊維束体で形成されたインク誘導芯を浸透することで筆記先端にまで至ることとなっているが、このインク誘導芯には染料又は顔料等の着色剤が含浸されており、この着色剤が、インク用液体に移行することで、インク用液体が筆記先端に至るまでに筆記に適する濃度にまで着色され、紙面に塗布されることで筆記がなされるというものである。これにより、無色又はほぼ無色のインク用液体によって筆記が可能となるという意外性が醸成されることで、単なる筆記に留まらない興趣に富む筆記具が提供されることとなっている。
【０００４】
【発明が解決しようとする課題】
上述の従来技術に開示されたような筆記具においては、インク用液体には、全く着色がされていないか、又は、着色されていたとしても筆記に適するような程度にまでは着色されていないこととなっていた。そのようなインク用液体が、筆記先端まで浸透等により誘導される間に筆記に適する程度にまで着色されるためには、着色剤には、インク用液体に対する溶解性が高過ぎないことが要求される。着色剤の溶解性が高過ぎると、インク用液体が残存しているのに着色剤が枯渇するという事態を招くからである。また、インク用液体に対する溶解度の高さゆえに、液体収納部に留まっているインク用液体に対して着色剤が浸透するという事態も考慮され、前記の意外性が損なわれるおそれもある。
【０００５】
上述の問題点に鑑み、本発明は、インク用液体と、このインク用液体に着色するための着色剤とが分離して収納され、インク用液体が筆記先端へ誘導される途中で、前記着色剤が該インク用液体に添加されるように形成されている筆記具において、インク用液体に対して適度な溶解性を有する着色剤を収容させることによって、かかる筆記具を用いた場合における、無色又はほぼ無色のインク用液体によって筆記が可能となるという意外性を確実に発揮させることを目的とする。
【０００６】
【課題を解決するための手段】
上記の課題の課題に鑑み、本発明は、インク用液体16と、このインク用液体16に着色するための着色剤とが分離して収納され、インク用液体16が筆記先端へ誘導される途中で、前記着色剤が該インク用液体16に添加されるように形成されている筆記具であって、前記着色剤として染料造塩体を用いることを特徴とする。
【０００７】
染料造塩体とは、
▲１▼酸性染料と塩基性成分との塩、
▲２▼塩基性染料と酸性成分との塩及び
▲３▼酸性染料と塩基性染料との塩
のうちのいずれかをいう。
【０００８】
ここで、本発明にいう「染料造塩体」とは、溶媒中で溶解することで染料のような挙動を示すもの、及び、溶媒中で分散して存在することで顔料のような挙動を示すもの、並びに、これらの中間的な挙動を示すもののうちのいずれであってもよい。
また、本発明においては、前記▲１▼のように、前記染料造塩体を酸性染料と塩基性成分との塩とすることが可能である。
【０００９】
ここで、「酸性染料」とは、スルホン酸基やカルボン酸基のような酸性基を分子構造に含む染料をいう。
「塩基性成分」とは、水溶性の塩基性化合物であって、その共役酸が酸性染料の酸性基と結合して塩を生成し得るものをいう。
酸性染料と塩基性成分とから生成される染料造塩体の例としては、Aizen Spilon SBN Yellow510（商品名、保土ヶ谷化学工業）があり、これは、C.I.Acid Yellow42を酸性染料として、アミンで造塩させている。
【００１０】
さらに、本発明においては、前記▲２▼のように、前記染料造塩体を塩基性染料と酸性成分との塩とすることが可能である。
「塩基性染料」とは、アミノ基のような塩基性基を分子構造に含む染料をいう。
「酸性成分」とは、水溶性の酸性化合物であって、その共役塩基が塩基性染料の塩基性基と結合して塩を生成し得るものをいう。
【００１１】
塩基性染料と酸性成分とから生成される染料造塩体の例としては、Aizen Spilon Red C-GH（商品名、保土ヶ谷化学工業）があり、これは、ローダミン6Gを塩基性染料とし、また、陰イオン活性剤を酸性成分としている。このような染料造塩体の別の例としては、Aizen Spilon Blue C-GH（商品名、保土ヶ谷化学工業）があり、これは、C.I.Basic Blue26を塩基性染料とし、また、陰イオン活性剤を酸性成分としている。
【００１２】
また、本発明においては、前記▲３▼のように、前記染料造塩体を酸性染料と塩基性染料との塩とすることが可能である。
酸性染料と塩基性染料とから生成される染料造塩体の例としては、Aizen Spilon Violet540（商品名、保土ヶ谷化学工業）があり、これは、C.I.Acid Yellow36を酸性染料とし、また、C.I.Basic Violet3を塩基性染料としている。このような染料造塩体の別の例としては、Aizen Spilon S.P.T.Red-533（商品名、保土ヶ谷化学工業）があり、これは、C.I.Acid Orange6を酸性染料とし、また、ローダミン6CGNを塩基性染料としている。
【００１３】
【実施例】
本発明の実施例を、比較例との対比において以下のように説明する。
（１）筆記具の構造
本発明の各実施例及び各比較例に係るインク用液体16及び着色剤液は、図１から図３までに示す筆記具に収納して用いられた。なお、図１は、本実施例の筆記具全体の正面断面図である。また、図２は、この筆記具の要部正面断面図である。さらに、図３は、図２のＡ−Ａ線断面図である。ここで、以下の説明においては、筆記具として用いられる際に筆記先端に近い方を「先端側」又は「先端方向」とし、また、紙面から遠い方を「後端側」又は「後端方向」とする。
【００１４】
図１及び図２に示すように、本実施例の筆記具は、円筒状の軸筒1を備え、この軸筒1内部の後端部分には、インク用液体16を収納するための液体収納部1aが設けられている。また、この軸筒1内部の先端部分には、液体収納部1aの圧力変化によるインク用液体16の筆記先端からの漏れ出しを防止するためのコレクター5が固定されている。
【００１５】
また、前記軸筒1は、ポリプロピレンを材料として全体が無色透明に形成され、これにより軸筒1の外部から内部を視認可能となっている。
上述したコレクター5は、ＡＢＳを材料として全体が無色透明に形成されている。さらに、図１から図３までに示すように、コレクター5の外周には、コレクター5後端から同先端へ向けて形成されているインク溝7と、コレクター5先端から同後願側へ向けて形成されている通気溝8（空気孔4を介して外界と通じている）と、これらのインク溝7及び通気溝8の双方と交わるように形成されている多数の液体保留溝6とが設けられている。これらの溝により、液体収納部1a内の圧力変化を緩衝することとしている。
【００１６】
また、コレクター5の軸中心には、後端から先端まで貫通する断面円形の貫通孔が設けられている。この貫通孔の軸方向ほぼ中間部分に、内径が縮小されている状態の規制部9が設けられている。そしてこの規制部9の先端側には、着色剤添加芯13が挿入される。この着色剤添加芯13は、ポリエステル製の繊維をポリウレタン樹脂によって固形化した繊維束体によって、円柱棒状に形成されている。この着色剤添加芯13には、後述の各実施例又は各比較例に示す着色剤が含浸される。そして、含浸後十分乾燥させた状態で、上記のようにコレクター5に挿入される。
【００１７】
一方、この規制部9の後端側には後方から着色剤吸着芯14が挿入され、さらにこの着色剤吸着芯14を固定する状態でコレクター5の後端にコレクター用芯15が挿入固定されている。この着色剤吸着芯14は、活性炭、繊維及びバインダーから成り、活性炭を繊維に保持させた形状の成型体として、円柱棒状に形成されたもので、着色剤を拡散途中で捕捉及び吸着する機能を有する。また、このコレクター用芯15は、ポリエステル製の繊維をポリウレタン樹脂によって固形化した繊維束体から形成され、着色剤吸着芯14を固定するとともに、その後端部分は液体収納部1a内に位置することとなり、これにより、液体収納部1aからインク用液体16を着色剤吸着芯14へ誘導する機能を有する。
【００１８】
そして、着色剤添加芯13と着色剤吸着芯14とは、規制部9で接触している。
一方、筆記具の先端部分を構成する継ぎ手3の先端には、口先部2が固着され、さらにこの口先部2にはボールペンチップ10が固定される。また、この継ぎ手3の後端からは、ポリエステル製の繊維をポリウレタン樹脂によって固形化した繊維束体により形成された、ステンレス鋼から成るボールペンチップ10の内径とほぼ同一の外径を有するインク誘導芯12が、超硬合金製の先端ボール11近傍まで挿入される。そしてこの継ぎ手3は、軸筒1先端に固着され、それによりインク誘導芯12の後端は着色剤添加心の先端と接触することとなる。
【００１９】
さらに、軸筒1の後端部分には尾栓18が装着されるとともに、先端部分には、別体に形成されたキャップ17がかぶせられることとなっている
すなわち、インク用液体16は、液体収納部1a内においては無色透明である。そしてインク用液体16は、液体収納部1aからコレクター用芯15、着色剤吸着芯14に順に浸透して先端方向へ誘導される。さらに着色剤添加芯13まで誘導されたところで含浸されている着色剤がインク用液体16に移行して、これによりインク用液体16は筆記可能な濃度にまで着色されることとなる。そして着色されたインク用液体16はインク誘導芯12を浸透してさらに先端へ進んで先端ボール11を介して紙面へ塗布されるに至る。
【００２０】
（２）実施例
（２−１）実施例１
実施例１においては、下記の表１に示すような組成を有するインク用液体16（ｐＨ＝８．０）を使用した。
【００２１】
【表１】
0003922630.tif 000002
【００２２】
また、実施例１においては、８０重量％のエタノール中に、塩基性染料のローダミン6Gと酸性成分の陰イオン活性剤との塩であるAizen Spilon Red C-GH（商品名、保土ヶ谷化学工業）を染料造塩体として２０重量％含有させたものを着色剤液として使用した。
（２−２）実施例２
実施例２においては、前記実施例１で使用したのと同一のインク用液体16を使用した。
【００２３】
また、実施例２においては、８０重量％のメタノールと１０重量％の精製水との混合物中に、酸性染料のC.I.Acid Yellow42と塩基性成分のアミンとの塩であるAizen Spilon SBN Yellow510（商品名、保土ヶ谷化学工業）を染料造塩体として１０重量％含有させたものを着色剤液として使用した。
（２−３）実施例３
実施例３においては、前記実施例１で使用したのと同一のインク用液体16を使用した。
【００２４】
また、実施例３においては、２０重量％のトルエンと６０重量％のエタノールとの混合物中に、酸性染料のC.I.Acid Yellow36と塩基性染料のC.I.Basic Violet3との塩であるAizen Spilon Violet540（商品名、保土ヶ谷化学工業）を染料造塩体として２０重量％含有させたものを着色剤液として使用した。
（２−４）実施例４
実施例４においては、下記の表２に示すような組成を有するインク用液体16（ｐＨ＝４．０）を使用した。
【００２５】
【表２】
0003922630.tif 000003
【００２６】
また、実施例４においては、２０重量％のメタノールと６０重量％のエタノールとの混合物中に、酸性染料のC.I.Acid Orange6と塩基性染料のローダミン6CGNとの塩であるAizen Spilon S.P.T.Red-533（商品名、保土ヶ谷化学工業）を染料造塩体として１０重量％含有させたものを着色剤液として使用した。
（３）比較例
（３−１）比較例１
比較例１においては、前記実施例４で使用したのと同一のインク用液体16を使用した。
【００２７】
また、比較例１においては、７０重量％のエタノールと１０重量％の精製水との混合物中に、塩基性染料であるAizen Victoria Pure Blue BOH（商品名、保土ヶ谷化学工業）を２０重量％含有させたものを着色剤液として使用した。
（３−２）比較例２
比較例２においては、前記実施例１で使用したのと同一のインク用液体16を使用した。
【００２８】
また、比較例２においては、８０重量％のエタノールに、酸性染料であるWater Blue 9（商品名、オリエント化学工業株式会社）を２０重量％含有させたものを着色剤液として使用した。
（４）試験項目
上記各実施例及び各比較例について、以下の３項目の試験を行った。
【００２９】
（４−１）筆記可能距離
上述の筆記具の筆記可能距離を、以下のようにして判定した。すなわち、ＩＳＯ規格１４１４５−１に準拠した筆記試験器に上述の筆記具を装着して、筆記速度4.5m/分、筆記角度60゜及び筆記負荷0.98N(100g重)の条件により筆記を行った。そして、その描線が、各着色剤の色彩を十分認識可能な状態で持続した距離を筆記可能距離とした。
【００３０】
（４−２）経時安定性（25℃）
上述の筆記具を、25℃、かつ、「DRY」に保った恒温恒湿器（SE-14CRAL、株式会社カトー）内に６箇月放置した。そして、この期間の経過後に実際の筆記が可能かどうかを判定した。
（４−３）経時安定性（50℃）
上述の筆記具を、50℃、かつ、「DRY」に保った恒温恒湿器（SE-14CRAL、株式会社カトー）内に６箇月放置した。そして、この期間の経過後に実際の筆記が可能かどうかを判定した。
【００３１】
（５）試験結果
上述の各実施例及び各比較例についての、上記各試験項目に関する結果を、下記の表３に示す。
【００３２】
【表３】
0003922630.tif 000004
【００３３】
上記表３に示すとおり、染料造塩体を着色剤として使用した実施例１から実施例４までは、塩基性染料を着色剤として使用した比較例１に対して、筆記可能距離並びに25℃及び50℃における経時安定性の各項目において優れた結果を示した。また、染料造塩体を着色剤として使用した実施例１から実施例４までは、酸性染料を着色剤として使用した比較例２に対して、筆記可能距離の項目においていずれも優れた結果を示した。
【００３４】
上記結果が示すとおり、インク用液体16と、このインク用液体16に着色するための着色剤とが分離して収納され、インク用液体16が筆記先端へ誘導される途中で、前記着色剤が該インク用液体16に添加されるように形成されている筆記具において使用される着色剤として、染料造塩体は、酸性染料及び塩基性染料よりも適していることが明らかである。
【００３５】
【発明の効果】
本発明は上述のとおり構成されているので、以下に記す効果を奏する。
すなわち、インク用液体と、このインク用液体に着色するための着色剤とが分離して収納され、インク用液体が筆記先端へ誘導される途中で、前記着色剤が該インク用液体に添加されるように形成されている筆記具において、インク用液体に対して適度な溶解性を有する着色剤を収容させることによって、かかる筆記具を用いた場合における、無色又はほぼ無色のインク用液体によって筆記が可能となるという意外性を確実に発揮させることが可能となる。
【図面の簡単な説明】
【図１】本発明の実施例に係る筆記具全体を正面断面図で示したものである。
【図２】本発明の実施例に係る筆記具の要部を正面断面図で示したものである。
【図３】図２に示す筆記具を、Ａ−Ａ線における断面図で示したものである。
【符号の説明】
1  軸筒                   1a  液体収納部
2  口先部                 3  継ぎ手
4  空気孔                 5  コレクター
6  液体保留溝             7  インク溝
8  通気溝                 9  規制部
10  ボールペンチップ      11  先端ボール
12  インク誘導芯          13  着色剤添加芯
14  着色剤吸着芯          15  コレクター用芯
16  インク用液体          17  キャップ
18  尾栓
【図１】
0003922630.tif 000005
【図２】
0003922630.tif 000006
【図３】
0003922630.tif 000007